(57)【要約】【課題】子局に設けられた複数スピーカのスピーカ毎の音量値と音の広がり態様を視覚的に確認できるようにすること。【解決手段】複数のスピーカを併置して周辺住民に拡声放送する複数の子局と、子局毎の複数スピーカのそれぞれの音量を設定制御できる親局と、を備え、親局は、制御入力又は音声入力を行える操作部と、子局の位置と地図を表示する表示部と、各要素を制御する制御部と、を有し、表示部は、地図に重ねて子局の位置を表示するとともに、併置された複数スピーカ毎の音量エリア４５の音量の大きさを可視的に表示し、表示部に可視的に表示された音量エリア４５をクリックすることによって、音量エリア４５の音量の大きさを変更して音量を設定制御する無線通信システム。【選択図】図４
2012070070.tif 000002
【特許請求の範囲】
【請求項１】
複数のスピーカを併置して周辺住民に拡声放送する複数の子局と、前記子局毎の複数スピーカのそれぞれの音量を設定制御できる親局と、を備えた無線通信システムであって、
前記親局は、ボタン操作又はキーボード操作又はマウス操作又はタッチパネル操作による制御入力、若しくはマイクによる音声入力を行える操作部と、前記子局の位置と前記子局が設置されている地図を表示する表示部と、前記複数スピーカ毎の音量エリアの音量の大きさを記憶する記憶部と、前記操作部、前記表示部及び前記記憶部を制御する制御部と、を有し、
前記表示部は、前記地図に重ねて前記子局の位置を表示するとともに、前記併置された複数スピーカ毎の音量エリアの音量の大きさを可視的に表示し、
前記表示部に可視的に表示された音量エリアを前記操作部による操作によって変更することによって、前記音量エリアの音量の大きさを変更して前記音量を設定制御する
ことを特徴とする無線通信システム。
【発明の詳細な説明】
【技術分野】
【０００１】
本発明は、無線通信システムに係わり、特に、基地局装置（親局）に接続した操作卓の制御機能により、屋外子局に設置したスピーカの音量を制御する技術に関するものである。
【背景技術】
【０００２】
防災行政無線システム等の無線通信システムにおいて、複数設置された屋外子局装置のそれぞれの音量を調節する従来技術として、例えば、特許文献１に示すように、病院や環境の静かな住宅地と騒音の大きい場所とで拡声器の音量を調節可能とすることが提案されている。この特許文献１によると、子局装置に複数の音量を指定したテーブルを記憶する記憶部とスピーカを有し、親局装置からの指示に基づいて記憶部に記憶したテーブルの１つを選択し、選択したテーブルに指定された音量によってスピーカを鳴動させることが開示されている。
【先行技術文献】
【特許文献】
【０００３】
【特許文献１】特開２００６−１５７４８８号公報
【発明の概要】
【発明が解決しようとする課題】
【０００４】
上記の特許文献１では、或る一の子局装置に複数のスピーカ（トランペットスピーカ）を配置し、当該子局装置のスピーカ毎に音量設定するテーブルを設け、親局装置から当該或る一の子局装置内のスピーカ毎の音量を容易に変更できることも開示されている。
【０００５】
このように、上記特許文献１に示す従来方式では、トランペットスピーカには最大で８台のスピーカを搭載可能であり、各スピーカに対しての音量制御を行うことが可能であるが、親局の制御画面（テーブルを表す表形式）を用いて設定する方式を採用していたため、結果として現在のトランペットスピーカに関する音量の制御情報はテーブルの表形式で表示できるが、スピーカ設置の環境を含めてどの方向にどの程度の広がりで各スピーカによる拡声がされるかについての情報を表示しておらず、各スピーカの音量を決める際の設定作業で課題が残っていた。
【０００６】
本発明の目的は、複数の屋外子局にそれぞれに設置された複数スピーカの内の各スピーカの音量を個別に親局側で簡易に設定可能とし、その設定した各スピーカの音量値と音の広がり態様を視覚的に確認できるようにする無線通信システムを提供することにある。
【課題を解決するための手段】
【０００７】
前記課題を解決するために、本発明は次のような構成を採用する。  
複数のスピーカを併置して周辺住民に拡声放送する複数の子局と、前記子局毎の複数スピーカのそれぞれの音量を設定制御できる親局と、を備えた無線通信システムであって、
前記親局は、ボタン操作又はキーボード操作又はマウス操作又はタッチパネル操作による制御入力、若しくはマイクによる音声入力を行える操作部と、前記子局の位置と前記子局が設置されている地図を表示する表示部と、前記複数スピーカ毎の音量エリアの音量の大きさを記憶する記憶部と、前記操作部、前記表示部及び前記記憶部を制御する制御部と、を有し、前記表示部は、前記地図に重ねて前記子局の位置を表示するとともに、前記併置された複数スピーカ毎の音量エリアの音量の大きさを可視的に表示し、前記表示部に可視的に表示された音量エリアを前記操作部による操作によって変更することによって、前記音量エリアの音量の大きさを変更して前記音量を設定制御する構成とする。
【発明の効果】
【０００８】
本発明によれば、専門知識を持たない担当者でも、親局側の表示画面により複数のトランペットスピーカ毎の音量値と音の広がり等を地図上で視覚的に確認でき、更には簡単操作（例えば、操作部におけるマウスクリック）により、トランペットスピーカ毎の音量を変更することができるため、住民からの苦情（音量が大き過ぎて煩わしい、又は音量が小さ過ぎて聞こえ難い）等の処理に迅速、的確に対応することができる。結果として、担当者又は保守員の音量設定作業の軽減に役立てることができる。
【図面の簡単な説明】
【０００９】
【図１】本発明の実施形態に係る無線通信システムにおける親局の全体構成を示すブロック系統図である。
【図２】本発明の実施形態に係る無線通信システムにおける屋外子局の全体構成を示すブロック系統図である。
【図３】本実施形態に係る無線通信システムにおける親局の表示部での種々の表示例を表す図である。
【図４】本実施形態に係る無線通信システムにおける親局の表示画面を用いて８台トランペットスピーカのそれぞれの音量を設定する手法例を説明する図である。
【発明を実施するための形態】
【００１０】
本発明の実施形態に係る無線通信システムについて、図１〜図４を参照しながら以下詳細に説明する。まず、図１は本発明の実施形態に係る無線通信システムにおける親局の全体構成を示すブロック系統図であり、図２は本発明の実施形態に係る無線通信システムにおける屋外子局の全体構成を示すブロック系統図である。
【００１１】
図１と図２において、本実施形態に係る無線通信システムは、操作卓２及び無線送受信装置３からなる親局１と、複数の屋外子局５と、から構成される。
【００１２】
そして、親局１における操作卓２は、操作部２１、主制御部２２、監視制御部２３、選択制御部２４、記憶部２５、表示部２６から構成され、主制御部２は、操作部２１、表示部２６及び無線表示部３１より入力される音声及び／又は制御信号をもとにして各構成要素を制御する機能をもち、操作部２１は操作者による操作卓２専用に作成されたボタン又はキーボード操作又はマウス操作又はタッチパネル操作による制御入力、若しくはマイクによる音声入力を行える機能をもつものであり、表示部２６は、後述する図３と図４に示すように、スピーカの配置と音量設定・変更の態様を表示する機能をもつものである。さらに、表示部２６は、後述する図４に示すように、表示画面の操作で音量の設定変更を行えるので、設定変更した制御信号を主制御部２２に送信する機能も奏する。
【００１３】
監視制御部２３は屋外子局５の状態を監視する機能、例えば、屋外子局５の電源部５１の現状の電圧値（電源の放電状態）や屋外子局５の動作状態（子局ボックスの開閉等）について、主制御部２２からの指示による屋外子局８からのアンサーバック（応答）信号に基づいて屋外子局５を監視できる機能をもっている。さらに、選択制御部２４は任意の屋外子局５を呼び出せる機能をもち、記憶部２５は複数存在する屋外子局５の配置情報と地図情報と屋外子局５のトランペットスピーカ５７の音量設定情報等を記憶する機能をもつものである。
【００１４】
親局１における無線送受信装置３は、無線表示部３１、無線部３２、アンテナ３３から構成され、無線表示部３１は操作卓２の主制御部２２と接続されて音声信号及び制御信号の授受を行うとともに、電波の送信と受信の状態を表示し、無線部３２は電波の変復調を行い、アンテナ３３は屋外子局５との無線送受信を行うものである。
【００１５】
また、屋外子局５は、電源部５１、制御部５３、音声増幅部５２、子局無線部５４、記憶部５５、アンテナ５６、トランペットスピーカ５７（トランペットスピーカは一例であり、本発明はこれに限らないので以下、スピーカと云う）から構成される。
【００１６】
電源部５１は蓄電池を備えて屋外子局５内の各構成要素に電源を供給する機能をもち、制御部５３は子局無線部５４及び音声増幅部５２及び記憶部５５を制御する機能をもつものである。記憶部５５は、全ての屋外子局の内で当該屋外子局が何番目に該当するものであるかの値、並びに最大で８台のスピーカのそれぞれに対してどのような音量が設定されているかの数値等を記憶する機能をもつ。子局無線部５４は音声及び制御信号の変復調及び送受信を行う機能をもっている。
【００１７】
音声増幅部５２は、受信した音声信号をスピーカ５７で拡声放送するための音量増幅を行うものであり、当該屋外子局５に設置された最大で８台のスピーカのそれぞれに対して設定された操作卓２からの音量指示を基に制御部５３による制御によって、個々のスピーカの増幅度が設定されるようになっている。スピーカ５７は音声増幅部５２で増幅された音声信号の拡声放送を行うものである。
【００１８】
ここで、親局１から複数の屋外子局５に対して音声による通報を行う際は、操作卓２の操作部２１からマイク入力された音声を主制御部２２を通して無線送受信装置３の無線部３２から電波として送出し、屋外子局５のアンテナ５６及び子局無線部５４で電波を受信し復調して、音声増幅部５２にて増幅した音声をスピーカ５７によって拡声し、付近住民に放送内容を報知する。ここで、スピーカ５７の音量制御を行う場合は、操作卓２の操作部２１で設定した音量を屋外子局５の制御部５３に対し送信し、制御部５３が音声増幅部５２を制御して、スピーカ５７毎にそれぞれの音量を設定する（後述する図３の（２）の音声領域を参照）。
【００１９】
次に、本実施形態に係る無線通信システムの主たる特徴を表す操作卓の構成と機能について、図３と図４を参照しながら以下説明する。図３は本実施形態に係る無線通信システムにおける親局の表示部での種々の表示例を表す図である。図４は本実施形態に係る無線通信システムにおける親局の表示画面を用いて８台スピーカのそれぞれの音量を設定する手法例を説明する図である。
【００２０】
操作卓２における操作部２１への操作入力によって主制御部２２が、屋外子局５の配置情報と、屋外子局５の周辺の建物、公園などを含む地図情報と、当該屋外子局のスピーカ５７の音量設定情報とを記憶部２５から取得して、これらの情報を表示部２６（図３の（１）に図示説明）に表示できるように構成している。ここで、地図情報は、操作部２１の外部入力端子を介して最新の情報（居住している建物を含む）に更新可能とされてもよく、また、スピーカによる拡声が障害となる建物の位置を特殊な印で追記できる地図であってもよい。
【００２１】
図３に示すように、操作部２１の入力を基に主制御部２２は、入手した音量設定情報と地図情報を用い、該当する屋外子局５に設置されているスピーカ（例えば、図示する８台のスピーカ）の音量エリアをグラフィカルに地図情報に重ねて方位記号とともに表示する。
【００２２】
ここで、図３の（１）は、表示部２６の表示画面において、地図（図示例で表示画面の白抜き画面に、対応する地図４０が表示される）に重ねて８台のスピーカ毎の音量エリア４５を表す全体図である。この際、図３の（１）は或る一の屋外子局５における８台のスピーカについて、その音量と地図とを表示しているが、操作部２１の操作入力の選択の仕方によって、親局１が管理するすべての屋外子局５，５，…の配置とこれらの屋外子局を囲む地図とを表示部２６に表示することもできる。
【００２３】
図３の（２）は、表示部２６に表示する表示例を示すものであり、８台スピーカの音量エリア４５と方位記号４６を示す拡大図である。この図示によると、当該屋外子局５に８台のスピーカ（８台は例示であり、６台又は４台でも当然に本発明の範囲である）を配置した場合の方位に分けた音量の大きさを示す音量エリアを表示している。図示例によると、南、南南東、南南西は大の音量を設定し、西、東は中の音量を設定し、北、北東、北西は小の音量を設定していることが視覚的に明瞭に分かるようになっている。
【００２４】
図３の（３）は、表示部２６の表示例として、８台スピーカの内で個々のスピーカの特定と音量エリア４５との関係を表示するものである。北方向に設置のスピーカから時計回りに順番にスピーカ番号を付している表示例である。
【００２５】
次に、操作卓２における表示部２６の表示画面を用いて、８台スピーカの個々のスピーカの音量を変更する手法について、図４を用いて説明する。
【００２６】
各スピーカの音量を変更する場合、一例として、表示部２６に表示された各スピーカの音量領域（音量エリア４５）をマウスでクリックし（図４の（１）を参照）、このクリックによって現れた音量選択の表示画面で音量の大・中・小のいずれかを選択することで音量変更できる（図４の（２）を参照）。なお、音量領域の選択や音量の選択、変更はマウス操作だけではなく、特定ボタン、キーボード、タッチパネル等の操作で行ってもよい。スピーカ毎に音量が変更された音量エリア４５の大きさを表示部２６の表示画面で確認することができる（図４の（３）を参照）。このように、屋外子局５毎に変更されたスピーカの音量は記憶部２５に保存される。
【００２７】
変更された音量設定情報は、操作卓２の主制御部２２より屋外子局５の制御部５３へ送信されることによって記憶部５５に格納され、制御部５３が記憶部５５の変更音量値を読み出すことによって、該当する屋外子局５のスピーカ５７の個々のスピーカ毎に変更された音量値で音声増幅されることとなる。ここで、音量変更を実行できるユーザについて、ユーザ名とパスワードの入力を必須要件として限定することによって、不特定多数者による音量変更を制限することが可能である。
【００２８】
以上説明したように図３と図４に示すような表示を実施可能とすることによって、現状の音量値や音の広がり方等を地図上で視覚的に確認することができ、さらには、簡単操作（例えばクリックでの音量操作）により、スピーカ５７の音量を変更することができる。その結果、住民からの苦情（音量が大きすぎて煩わしい、音量が小さすぎて聞こえ難い）等の処理に迅速且つ的確に対処することができる。
【符号の説明】
【００２９】
１  親局
２  操作卓
３  無線送受信装置
５  屋外子局
２１  操作部
２２  主制御部
２３  監視制御部
２４  選択制御部
２５  記憶部
２６  表示部
３１  無線表示部
３２  無線部
３３  アンテナ
４０  地図
４５  音量エリア
４６  方位記号
５１  電源部
５２  音声増幅部
５３  制御部
５４  子局無線部
５５  記憶部
５６  アンテナ
５７  トランペットスピーカ
【図１】
2012070070.tif 000003
【図２】
2012070070.tif 000004
【図３】
2012070070.tif 000005
【図４】
2012070070.tif 000006